(57)【要約】【課題】  店頭における吊り下げ陳列でも変形がなく形態的に安定し、また、板面には自由な印刷が思い通りのできて商品の見栄を良くし、効果的にディスプレイ機能を発揮して商品の宣伝効果を高めることができる左官鏝の包装陳列具を提供する。【解決手段】  表面板１と裏面板２とで扁平袋体に形成され、表面板１の下端辺から適宜の高さを採り、板面を横切って鏝板Ａを出し入れする下部横切れ目５を設け、該下部横切れ目５に接して表面板１の中央ラインに中央縦切れ目６を設け、該縦切れ目６から上方に延長して柱脚Ｂが出入りする開口部７を形成し、表面板１の上端部寄り位置に、板面を横切って鏝板Ａの先端部Ａ′を露出させる上部横切れ目８を設けた。【選択図】        図１
2005289428.tif 000002
【特許請求の範囲】
【請求項１】
板紙から裁断したブランクシートからなり、表面板と裏面板を２つ折りして重ね、長方形状の扁平袋体を形成し、表面板の下端辺から適宜の高さを採って板面を横切って鏝板を出し入れする下部横切れ目を設けるとともに、該下部横切れ目に接して表面板の中央ラインに中央縦切れ目を設け、該縦切れ目から上方に延長して鏝の柱脚が出入りする開口部を形成し、表面板の上端部寄り位置に、板面を横切って鏝板の先端部を露出させる上部横切れ目を設けたことを特徴とする左官鏝の包装陳列具。
【請求項２】
開口部と上部横切れ目との間に背金端部を覗き見させる開口部を設けたことを特徴とする請求項１記載の左官鏝の陳列具。
【請求項３】
柱脚が開口部の上端部に達する位置で、鏝板の尾端が下部横切れ目上を少し通り過ぎ、ここから鏝板を後退させて尾端を下部横切れ目から袋体内に引き入れ、この状態で上部横切れ目から鏝板の先端部を表面板上に露出させることを特徴とする請求項１記載の左官鏝の包装陳列具。
【発明の詳細な説明】
【技術分野】
【０００１】
本発明は、左官鏝を包装して店頭に陳列して販売するのに使用する左官鏝の包装陳列具に関するものである。
【背景技術】
【０００２】
従来より、左官鏝を店頭に陳列して販売するのに、適宜の厚みのある透明なビニールシートからなり、表面板と裏面板を重ねて両側辺及び下辺を結合して長方形状の扁平袋体を形成し、表面板の下端辺から適宜の高さを採って板面を横切って鏝板を出し入れする横切れ目を設けるとともに、該横切れ目に接して表面板の中央ラインに、袋体の中間付近まで延びる中央縦切れ目を設けた左官鏝の包装陳列具が提案されている。
【０００３】
この包装陳列具の使用は、横切れ目から、鏝板をその先端部から挿入して袋体内に入れて途中から鏝板上に立設した柱脚基部を中央縦切れ目を拡げて通し、鏝板の尾端を横切れ目少し通り過ごした後、鏝板を後退せさて尾端を横切れ目から袋体内に引き入れて係止させ、袋体を以て鏝板をすっぽり包み込む形にして左官鏝を包装するものが実用されている。
【０００４】
ところが、このような透明なビニールシート製の包装陳列具で包装されて店頭に陳列された左官鏝は、顧客が左官鏝を選択する上で重要視される鏝板の先端部の形状や鏝板上に取着された背金の形状等は、袋体が透明なビニールシート製になっているので、袋体を透かして見ることができるが、鏝板を包装するビニールシート製の袋体面には、自由に印刷をすることができない。
【０００５】
このために、左官鏝の陳列販売に必要とされる左官鏝の製造元や鏝のサイズ、また、鏝の材質や特徴表示等は、一般に、別途印刷されたシール類を作成してこれを袋体面の適所に貼着して表示する手法が採られている。
【０００６】
しかし、前記するようなビニールシート製の袋体と、この袋体面に貼着されるシール類とを組み合わせた従来の左官鏝の包装陳列具からすれば、袋体自体は、材質的に柔軟性があって変形し易く、鏝板を包み込んだ状態での包装形態が安定せず、例えば、店頭において吊り棚等に対して吊り下げて陳列するような時は、湿度、温度等の影響もあって袋体が局部的に伸展するような変形を生じ易く、吊り下げされた商品の整列性を乱して見栄えを悪くするばかりでなく、商品イメージにも悪影響を与え、顧客は購買意欲をそがれるようなこともある。
【０００７】
また、袋体面に貼着されるシールにしても、特に、袋体に対する位置的な制約がなく貼着されるようになるので、この面からも、店頭に陳列された商品は、見た目に包装陳列具が不揃いで安っぽさを感じさせてディスプレイ機能を低下させることは否めない。
【発明の開示】
【発明が解決しようとする課題】
【０００８】
本発明は、このような状況に鑑みてなされたものであって、板紙から裁断したブランクシートを用いて長方形状の扁平袋体に形成され、店頭における吊り下げ陳列でも袋体の変形がなく形態的に安定し、また、袋体の板面には思い通りの自由な印刷ができて商品の見栄を良くし、効果的にディスプレイ機能を発揮して商品の宣伝効果を高めることができる便利な左官鏝の包装陳列具を提供することを目的としたものである。
【課題を解決するための手段】
【０００９】
上記の目的を達成するための本発明に係る左官鏝の包装陳列具は、板紙から裁断したブランクシートからなり、表面板と裏面板を２つ折りして重ね、長方形状の扁平袋体を形成し、表面板の下端辺から適宜の高さを採って板面を横切って鏝板を出し入れする下部横切れ目を設けるとともに、該下部横切れ目に接して表面板の中央ラインに中央縦切れ目を設け、該縦切れ目から上方に延長して鏝の柱脚が出入りする開口部を形成し、表面板の上端部寄り位置に、板面を横切って鏝板の先端部を露出させる上部横切れ目を設けたことを特徴とする。
【００１０】
ここで、本発明に係る包装陳列具による鏝板は包装は、下部横切れ目から、鏝板をその先端部から挿入して袋体内に入れ、途中から鏝板上に立設した柱脚基部を中央縦切れ目を拡げて通し開口部に入り込ませ、また、鏝板の先端部を上部横切れ目から表面板上に露出させ、柱脚基部が開口部の上端部に到達した時点で、鏝板の尾端が下部横切れ目上を少し通り過ぎるので、ここから鏝板を後退せさて尾端を下部横切れ目から袋体内に引き入れて係止させる。こうして袋体中央部の開口部からは柱脚が突出し、袋体の上部横切れ目から表面板上には鏝板の先端部が露出し、残りの鏝板部分は袋体内にほぼをすっぽり包み込まれて左官鏝は包装される。
【００１１】
従って、本発明に係る左官鏝の包装陳列具によれば、鏝板の包装は、作業の巧拙がなく、ほとんどワンタッチ式にでき、包装後の鏝板は袋体内に安定し、長期間の吊り下げ陳列でも包装陳列具の変形がなく形状的に安定した陳列を実現する。また、板紙で形成した袋体面には、場所的な制約がなく袋体面を有効利用して左官鏝の製造元や鏝のサイズ、また、鏝の材質や特徴表示等の印刷が、直接的に思い通りにできるので、陳列された商品の見栄を良くし、効果的にディスプレイ機能を発揮して商品の宣伝効果を高めることできる。
【００１２】
また、前記構成において、開口部と上部横切れ目との間に背金端部を覗き見させる開口部を設けた構成にすると、顧客は、この開口部から背金の前端部を直接的に見ることができる。
【００１３】
従って、例えば、薄い鋼板からなる鏝板の上面中央に、弾性金属で作られた背金を接着剤を介して接着し、この背金上に柱脚を立設し、また、背金が鏝板の撓みに追随して撓み易くするために、背金の前端部に切り込み等が設けられている場合に、この切り込みの形態を顧客に直接的に見せることによって背金の特徴的な構成部分をアピールすることができる。
【００１４】
また、前記構成において、柱脚が開口部の上端部に達する位置で、鏝板の尾端が下部横切れ目上を少し通り過ぎ、ここから鏝板を後退させて尾端を下部横切れ目から袋体内に引き入れ、この状態で上部横切れ目から鏝板の先端部を表面板上に露出させるようにすると、顧客が左官鏝を選択する上で重要視される鏝板の先端部の形状についても、これを直接に見ることができて鏝板の選択を容易にする。
【発明の効果】
【００１５】
本発明に係る包装陳列具によれば、鏝板の包装は、下部横切込みに鏝板を先端部から挿入して行われるので、ほとんどワンタッチ式にできる。また、包装陳列具は板紙からなる表面板と裏面板を２つ折りして重ねた袋体とされ、鏝板包装後においても形態的に安定するので、長期間の吊り下げ陳列でも形状的に安定した陳列を実現する。また、板紙製の袋体の板面には、場所的制約がなく、自由な印刷が思い通りにできるので、商品の見栄を良くし、効果的にディスプレイ機能を発揮して商品の宣伝効果を高めることができる
【発明を実施するための最良の形態】
【００１６】
以下、図面を参照しながら、本発明の実施例に係る包装陳列具について具体的に説明する。
【実施例１】
【００１７】
図１は本発明に係る包装陳列具の展開図、図２は鏝板を包装した状態を示す包装陳列具の概略中央断面図、図３は鏝板を包装した状態を示す斜視図である。
【００１８】
図１に示すように、包装陳列具は、１枚の板紙から裁断したブランクシートからなり、展開状態において、細長い表面板１の左側に折線ａを介して表面板１と同じ大きさの裏面板２を連設している。
【００１９】
表面板１の右側と下端辺側には、折り線ｂ、ｃを介してそれぞれに糊付け片３，４を連設しており、表面板１と裏面板２を２つ折りして重ね、糊付け片３，４をそれぞれに裏面板２の対応する板面に糊付けして長方形状の扁平状袋体に形成する。
【００２０】
表面板１には、その下端辺から適宜の高さを採って板面を横切って鏝板Ａを出し入れする下部横切れ目５を設けるとともに、該下部横切れ目５に接して表面板１の中央ラインに縦切れ目６設け、この縦切れ目６から上方に延長して鏝の柱脚Ｂの基部が出入りする開口部７を形成している。
【００２１】
また、表面板１の上端部寄りの板面を横切る方向に鏝板Ａの先端部Ａ′を表面板１上に露出させる上部横切れ目８を設けている。
【００２２】
また、実施の形態では、鏝の柱脚Ｂの基部が入れられる開口部７と、鏝板Ａの先端部Ａ′を露出させる上部横切れ目８との間に、鏝の背金Ｃの端部Ｃ′を覗き見させる開口部９を設けている。
【００２３】
また、前記下部横切れ目５から、鏝板Ａの先端部を挿入して柱脚Ｂが縦切り込み６を経て開口部７内に入り込み、柱脚Ｂの基部が開口部７の上端部付近に位置する状態で、鏝板Ａの尾端Ａ″は下部横切れ目５上を少し通り過ぎるように、該下部横切れ目５の位置は、予め、設定している。
【００２４】
なお、図中１０は、袋体を形成する表面板１及び裏面板２の上端部寄りに穿設され、鏝板包装後の商品を吊り下げ陳列するのに使用する吊り具挿入孔、１１は袋体を形成する表面板１及び裏面板２の適所に印刷された印刷物の一部を示す。
【００２５】
前記構成において、本発明に係る包装陳列具による鏝板Ａの包装は、次ぎのような要領で行われる。
【００２６】
先ず、下部横切れ目５から、鏝板Ａをその先端部Ａ′から挿入して袋体内に入れ、途中から背金Ｃ上に立設した柱脚Ｂの基部を中央縦切れ目６を拡げて通し、開口部７に入り込ませ、また、鏝板Ａの先端部Ａ′を上部横切れ目８から表面板１上に露出させる。
【００２７】
ここで、柱脚Ｂの基部を開口部７の上端部側に寄せると、鏝板Ａの尾端Ａ″が下部横切れ目５上を少し通り過ぎるので、ここから鏝板を後退せさて尾端Ａ″を下部横切れ目５から袋体内に引き入れて袋体内に係止させる。こうして鏝板は、その先端部Ａ′を上部横切れ目８から表面板１上に露出させ、残りの部分は袋体内にほぼすっぽり包み込まれて鏝板Ａは包装される。
【００２８】
また、鏝板Ａが包装されて柱脚Ｂが突出する開口部７と上部横切れ目８との間に設けた開口部９からは、背金端部Ｃ′を覗き見することができ、背金Ｃの特徴的な構成部分が直接的にアピールされる。
【産業上の利用可能性】
【００２９】
本発明に係る左官鏝の包装陳列具が適用される左官鏝は種類も多いものであるが、本発明に係る包装陳列具によれば、１枚の板紙から作ることができ、構造が簡単で、商品とされる左官鏝の鏝板の包装も、作業の巧拙がなく簡単にできるので、その利用範囲は極めて広範になり、販売範囲を拡大して販売増強を図ることができる実用上、極めて有益なものである。
【図面の簡単な説明】
【００３０】
【図１】本発明に係る包装陳列具の展開図である。
【図２】鏝板を包装した状態を示す包装陳列具の概略中央断面図である。
【図３】鏝板を包装した状態を示す斜視図である。
【符号の説明】
【００３１】
１  表面板
２  裏面板
３  糊付け片
４  糊付け片
５  下部横切れ目
６  中央縦切れ目
７  開口部
８  上部横切れ目
９  開口部
１０  吊り具挿入孔
１１  印刷物
Ａ  鏝板
Ｂ  柱脚
Ｃ  背金
【図１】
2005289428.tif 000003
【図２】
2005289428.tif 000004
【図３】
2005289428.tif 000005